【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
筆記具に使用されるようになったクリップ保持装置であって、
クリップと、
第１の係合面を備えた第１のプラグ本体と、
第２の係合面を備えた第２のプラグ本体とを有し、
前記クリップの少なくとも一部は、前記第１の係合面と前記第２の係合面との間に配置され、
前記第１の係合面及び前記第２の係合面が前記クリップの前記一部に係合して、少なくとも、前記第１、第２のプラグ本体に対する前記クリップの前記一部の運動を阻止し、
前記クリップ、前記第１のプラグ本体、前記第２のプラグ本体が、筆記具に結合されるようになったリテーナ要素に、ユニットとして、挿入することができるように形作られ、前記クリップが、前記第１のプラグ本体、前記第２のプラグ本体を一緒に前記リテーナ要素に挿入することによって、前記筆記具に結合される、
クリップ保持装置。
【請求項２】
前記クリップの前記一部は、第１の嵌合面を備え、前記第１の嵌合面と前記第２の嵌合面のうち少なくとも一方は、第２の嵌合面を備え、前記第１の嵌合面は、前記第２の嵌合面に対する前記クリップの前記一部の運動を少なくとも阻止するよう前記第２の嵌合面に係合する、請求項１記載のクリップ保持装置。
【請求項３】
前記第１、第２のプラグ本体は可撓性ヒンジ要素によって互いに連結されている、請求項１記載のクリップ保持装置。
【請求項４】
前記プラグ本体の少なくとも一方が内側プラグ突起を有し、
他方の前記プラグ本体が嵌合プラグキャビティを有し、
前記内側プラグ突起が、前記プラグ本体を一緒にさせておくように、前記嵌合プラグキャビティ内に受け入れられる、
請求項１記載のクリップ保持装置。
【請求項５】
前記内側プラグ突起が前記嵌合プラグキャビティと相互係止する、請求項４記載のクリップ保持装置。
【請求項６】
前記プラグ本体の一方が内側プラグ突起を有し、
前記クリップが前記内側プラグ突起を受け入れるための開口部を有し、
前記内側プラグ突起が前記クリップの開口部に受け入れられる、
請求項１記載のクリップ保持装置。
【請求項７】
前記プラグ本体の少なくとも一方がプラグ凹みを有し、
前記クリップの前記一部が、少なくとも部分的に、前記プラグ凹みの内側に配置されている、
請求項１記載のクリップ保持装置。
【請求項８】
前記クリップの前記一部が輪郭決めされたクリップ形状を有し、
前記プラグ凹みが輪郭決めされた嵌合形状を有し、
該輪郭決めされた嵌合形状が前記輪郭決めされたクリップ形状に係合し、少なくとも、前記第１、第２のプラグ本体に対する前記クリップの前記一部の運動を阻止する、
請求項７記載のクリップ保持装置。
【請求項９】
前記プラグ凹みがプラグ肩を構成し、
前記クリップの前記一部がクリップ肩を構成し、
前記プラグ肩が前記クリップ肩に係合し、少なくとも、前記第１、第２のプラグ本体に対する前記クリップの運動を阻止する、
請求項７記載のクリップ保持装置。
【請求項１０】
前記プラグ本体の少なくとも一方がプラグ肩を構成し、
前記クリップの前記一部がクリップ肩を構成し、
前記プラグ肩が前記クリップ肩に係合し、少なくとも、前記第１、第２のプラグ本体間からの前記クリップの運動を阻止する、
請求項１記載のクリップ保持装置。
【請求項１１】
前記プラグ本体の少なくとも一方が１つ又は２つ以上のプラグ肩を構成し、
前記１つ又は２つ以上のプラグ肩が前記クリップに係合し、少なくとも、前記第１、第２のプラグ本体間からの前記クリップの側方運動を阻止する、
請求項１記載のクリップ保持装置。
【請求項１２】
前記第１の係合面及び前記第２の係合面の少なくとも一方が、少なくとも、前記クリップの前記部分が前記第１、第２のプラグ本体の長手方向軸線を中心に前記第１、第２のプラグ本体に対して回転するのを阻止するように、前記クリップの前記部分に対して輪郭決めされ、構成されている、請求項１記載のクリップ保持装置。
【請求項１３】
筆記具であって、
第１の端部と、第２の端部とを備えた本体部材と、
クリップと、
第１の係合面を備えた第１のプラグ本体と、
第２の係合面を備えた第２のプラグ本体と、
前記本体部材と関連したリテーナ要素とを有し、
前記クリップの少なくとも一部は、前記第１の係合面と前記第２の係合面との間に配置され、
前記第１の係合面及び前記第２の係合面は、少なくとも、前記プラグ本体に対する前記クリップの前記一部の運動を阻止するように、前記クリップの前記一部に係合し、
前記第１、第２のプラグ本体が、前記リテーナ要素に対する運動を阻止するように、前記リテーナ要素と相互係止するように形作られている、
筆記具。
【請求項１４】
前記第１、第２のプラグ本体の少なくとも一方が外側プラグ肩を有し、
前記リテーナ要素が内側リテーナ肩を有し、
該内側リテーナ肩が、前記第１、第２のプラグ本体を前記リテーナ要素の内側に保持するように、前記外側プラグ肩に係合する、
請求項１３記載のクリップ保持装置。
【請求項１５】
前記外側プラグ肩が、前記第１、第２のプラグ本体の少なくとも一方の外側面に形成された隆起部によって構成されている、請求項１４記載のクリップ保持装置。
【請求項１６】
前記隆起部が、前記リテーナ要素への前記第１、第２のプラグ本体の挿入を容易にするための傾斜プロフィールを有する傾斜部分を構成する、請求項１５記載のクリップ保持装置。
【請求項１７】
前記第１プラグ本体、第２のプラグ本体、前記リテーナ要素の少なくとも１つが、前記リテーナ要素への前記第１、第２のプラグ本体の挿入を容易にするための傾斜プロフィールを有する傾斜部分を構成する、請求項１４記載のクリップ保持装置。
【請求項１８】
前記外側プラグ肩が弾性材料で作られている、請求項１４記載のクリップ保持装置。
【請求項１９】
前記リテーナ要素が本体部材の一部として形成されている、請求項１３記載のクリップ保持装置。
【請求項２０】
前記本体部材の前記第１の端部に位置決めされたキャップ部材を有し、前記リテーナ要素が前記キャップ部材に配置されている、請求項１３記載のクリップ保持装置。
【請求項２１】
前記リテーナ要素が前記筆記具の少なくとも１つの構成要素と結合するように形作られている、請求項１３記載のクリップ保持装置。
【請求項２２】
前記第１、第２のプラグ本体と、前記リテーナ要素とが、相対的軸線運動を阻止するように、形作られている、請求項１３記載のクリップ保持装置。
【請求項２３】
前記第１、第２のプラグ本体と、前記リテーナ要素とが、相対的回転運動を阻止するように、形作られている、請求項１３記載のクリップ保持装置。
【請求項２４】
クリップ保持装置であって、
第１の嵌合面を備えたクリップと、
第１の係合面を備えた第１のプラグ本体と、
第２の係合面を備えた第２のプラグ本体と、
リテーナ要素とを有し、
前記リテーナ要素は、前記プラグ本体を一緒に維持するよう前記プラグ本体に結合され、
前記クリップの少なくとも一部は、前記第１の係合面と前記第２の係合面との間に設けられ、
前記第１の係合面と前記第２の係合面のうち少なくとも一方は、第２の嵌合面を備え、
前記第１の嵌合面は、前記プラグ本体に対する前記クリップの前記一部の運動を少なくとも阻止するように、前記第２の嵌合面に係合する、
クリップ保持装置。
【請求項２５】
リテーナ要素、第１のプラグ本体及び第２のプラグ本体を含む複数の部品を有する筆記具にクリップを取り付ける方法であって、
前記クリップの少なくとも一部を前記第１のプラグ本体と前記第２のプラグ本体との間に位置決し、
前記クリップの前記一部が前記第１のプラグ本体と前記第２のプラグ本体との間に位置決めされた状態で前記第１のプラグ本体及び前記第２のプラグ本体を前記リテーナ要素に結合して、前記クリップの前記一部を前記第１のプラグ本体と前記第２のプラグ本体との間に保持することを含む、
方法。
【請求項２６】
前記リテーナ要素を前記筆記具の少なくとも１つの部品に結合することを含む、請求項２５記載の方法。
【請求項２７】
前記リテーナ要素は、前記筆記具の本体部材に結合される、請求項２６記載の方法。
【請求項２８】
前記リテーナ要素は、前記筆記具のキャップに結合される、請求項２６記載の方法。
【請求項２９】
前記第１のプラグ本体と前記第２のプラグ本体が少なくともこれらの相互運動を阻止するように互いに係合するようにするに、前記第１のプラグ本体と前記第２のプラグ本体を互いに結合させることを含む、請求項２５記載の方法。
【請求項３０】
前記プラグ本体のうち一方に設けられたプラグ突起を他方の前記プラグ本体の嵌合プラグキャビティと結合することを含む、請求項２９記載の方法。
【請求項３１】
筆記具用クリップ保持装置であって、
クリップと、
第１の係合面を備えた第１のプラグ本体と、
第２の係合面を備えた第２のプラグ本体とを有し、
前記クリップの少なくとも一部は、前記第１の係合面と前記第２の係合面との間に配置され、
前記第１、第２のプラグ本体が、夫々弾性材料で成形され、可撓性ヒンジによって互いに連結されている、
クリップ保持装置。
【請求項３２】
前記第１、第２のプラグ本体が、これらを一緒にさせておくように互いに係合する嵌合形状を備えるように形作られている、請求項３１記載のクリップ保持装置。
【請求項３３】
前記嵌合形状が、前記第１、第２のプラグ本体に対する前記クリップの前記一部の運動を阻止するように、前記クリップの前記一部に係合するように、形作られている、請求項３２記載のクリップ保持装置。
【請求項３４】
中心線を備える筆記具にクリップを結合させることができるように形作られたクリップ保持装置であって、
クリップと、
第１の係合面を備えた第１のプラグ本体と、
第２の係合面を備えた第２のプラグ本体とを有し、
前記第１、第２のプラグ本体が、長手方向共通中心軸線を構成し、
前記クリップの少なくとも一部は、前記第１の係合面と前記第２の係合面との間に配置され、前記第１、第２のプラグ本体の前記長手方向共通中心軸線から外れるように位置決めされた、
クリップ保持装置。
【請求項３５】
前記クリップは、該クリップを、前記第１の係合面と前記第２の係合面との間に配置すべき第１の部分と、筆記具を或る物にクリップさせるための、前記筆記具の外部に延びる第２の部分とを、形作るように、予め曲げられ、
前記第１の係合面と前記第２の係合面との間の前記クリップの前記第１の部分の第１の位置では、前記クリップの前記第２の部分が、前記第１、第２のプラグ本体から第１の距離であり、
前記第１の係合面と前記第２の係合面との間の前記クリップの前記第１の部分の第２の位置では、前記クリップの前記第２の部分が、前記第１、第２のプラグ本体から第２の距離であり、該第２の距離は前記第１の距離よりも長い、
請求項３４記載のクリップ保持装置。
【請求項３６】
中心線を備える筆記具にクリップを結合させることができるように形作られたクリップ保持装置であって、
クリップと、
第１の係合面を備えた第１のプラグ本体と、
第２の係合面を備えた第２のプラグ本体とを有し、
前記第１、第２のプラグ本体が、長手方向共通中心軸線を構成し、
前記第１、第２のプラグ本体は、前記クリップの一部を前記第１の係合面と前記第２の係合面との間に配置させた状態で、一緒にされるように、形作られ、
前記第１、第２のプラグ本体が一緒にされたときに、前記第１の係合面と前記第２の係合面が、前記第１、第２のプラグ本体の前記長手方向共通中心軸線からずれる、
クリップ保持装置。
【請求項３７】
前記クリップは、該クリップを、前記第１の係合面と前記第２の係合面との間に配置すべき第１の部分と、筆記具を或る物にクリップさせるための、前記筆記具の外部に延びる第２の部分とを形作るように、予め曲げられ、
前記第１の係合面と前記第２の係合面との間の前記クリップの前記第１の部分の第１の位置では、前記クリップの前記第２の部分が、前記第１、第２のプラグ本体から第１の距離であり、
前記第１の係合面と前記第２の係合面との間の前記クリップの前記第１の部分の第２の位置では、前記クリップの前記第２の部分が、前記第１、第２のプラグ本体から第２の距離であり、該第２の距離は前記第１の距離よりも長い、
請求項３６記載のクリップ保持装置。
【請求項３８】
前記第１のプラグ本体が、前記第２のプラグ本体よりも薄い断面を有する、請求項３６記載のクリップ保持装置。
【請求項３９】
中心線を備える筆記具にクリップを組み付ける方法であって、
前記クリップの少なくとも一部を第１のプラグ本体の第１の係合面と前記第２のプラグ本体の第２の係合面との間に位置決することを含み、前記第１のプラグ本体と前記第２のプラグ本体とが、長手方向共通中心軸線を構成し、
前記クリップの前記部分が間に位置決めされた、前記第１のプラグ本体、前記第２のプラグ本体を、これらの前記長手方向共通中心軸線を前記筆記具の前記中心線と実質的に平行にして、前記筆記具に結合することを含み、
前記第１の係合面と前記第２の係合面とが、前記筆記具の中心線と実質的に平行であり、前記筆記具の中心線からずらされ、
前記筆記具に対する前記クリップの張力が、前記第１のプラグ本体と前記第２のプラグ本体との間に位置決めされた前記クリップ部分の位置を変えることによって調節することができる、
方法。
【請求項４０】
前記第１のプラグ本体と前記第２のプラグ本体との間で前記クリップ部分の位置を１８０度回転させることによって前記クリップの張力を調節することを含む、請求項２５記載の方法。